(57)【要約】【課題】清掃作業性に優れた便器装置を提供する。【解決手段】便器装置１０においては、大便器１１の上部に配置された本体ケーシング１０ａにボウル部１１ａ内を照らすボウルライト２９が設けられている。リモコン式の操作部に設けられたノズルそうじボタンまたは便器そうじボタンを操作することによって「ノズル清掃モード」および「便器清掃モード」を選択して作動させることができる。ノズルそうじボタンを押すと便器装置１０は「ノズル清掃モード」にセットされ、大便器１１が非着座状態において、本体ケーシング１０ａ内に進退可能に収容された洗浄ノズルがボウル部１１ａへ進出する。便器そうじボタンを押すと便器装置１０は「便器清掃モード」にセットされ、ボウル部１１ａ内の溜水Ｗが排出され当該ボウル部１１ａをほぼ空にした状態が所定時間維持される。各清掃モードが作動するとボウルライト２９が点灯する。【選択図】図２
2008088677.tif 000002
【特許請求の範囲】
【請求項１】
大便器の上部に配置されたケーシングに当該大便器のボウル部内を照らす照明と、前記大便器内で掃除を行うための清掃モードを実行させると共に当該清掃モードが作動すると前記照明が点灯するように制御する制御部と、を設けたことを特徴とする便器装置。
【請求項２】
前記ケーシングに便座を起伏可能に設け、前記清掃モードとして、前記便座への非着座状態において、前記ケーシング内に進退可能に収容された洗浄ノズルを前記ボウル部に進出させるノズル清掃モードを設けたことを特徴とする請求項１の便器装置。
【請求項３】
前記清掃モードとして、前記ボウル部内の溜水を排出して当該ボウル部をほぼ空にした状態を所定時間維持する便器清掃モードを設けたことを特徴とする請求項１の便器装置。
【請求項４】
前記清掃モードは、作動開始後、所定時間経過すると自動的に終了すると共に、当該清掃モードが終了する前に前記照明の点灯状態を変更することを特徴とする請求項１〜３のいずれかに記載の便器装置。
【請求項５】
前記清掃モードの作動中に当該清掃モードを作動開始する操作手段を操作すると当該清掃モードの作動時間が延長されることを特徴とする請求項４の便器装置。
【発明の詳細な説明】
【技術分野】
【０００１】
本発明は、一般住宅や公共施設のトイレなどに設備される便器装置に関する。
【背景技術】
【０００２】
一般住宅や公共施設のトイレなどに設置されている衛生洗浄装置付きの大便器は、日常的な使用により、ボウル部や洗浄ノズルなどが徐々に汚れていくので、必要に応じて掃除を行う必要がある。しかしながら、ボウル部内には常に溜水が貯留され、使用していないときの洗浄ノズルは所定のケーシング内に収容されているため、汚れが溜まり易く、これらの部分の掃除がし難いという問題がある。
【０００３】
そこで、これらの部分の掃除をし易くするため、ボウル部内の溜水を一定時間内、ほぼ空にすることのできる「お掃除モード」を備えた便器装置（例えば、特許文献１参照。）、あるいは不使用中の洗浄ノズルを無吐水状態でボウル部へ進出させることのできる「ノズルお掃除機能」を備えた便器装置（例えば、特許文献２参照。）などがある。
【０００４】
一方、就寝中に尿意を催してトイレに行ったとき、トイレ全体を照らす強力な照明で使用者が目覚めてしまうのを防止するため、使用者が便器前に立つと、ボウル部内や使用者の足許に仄かな光を照射する機能を備えた便器装置が提案されている（例えば、特許文献３，４参照。）。これらの便器装置を使用する場合、トイレの照明を点灯する必要がないので、就寝時間帯における不本意な目覚めを回避することができる。
【０００５】
【特許文献１】特許第３７２９２７３号公報
【特許文献２】特開２００６−４５９０７号公報
【特許文献３】特開平９−１３５７９１号公報
【特許文献４】特開平８−２８４２３２号公報
【発明の開示】
【発明が解決しようとする課題】
【０００６】
特許文献１記載の便器装置はボウル部内の溜水を一定時間内、ほぼ空にすることができ、特許文献２記載の便器装置は、不使用中の洗浄ノズルを無吐水状態でボウル部へ進出させることができるので、従来の便器装置に比べると、大幅に掃除がし易くなっている。しかしながら、トイレの照明は天井部分に設けられていることが多いため、便器に向かって掃除を行っている作業者自身の影によりボウル部付近が暗くなり、掃除ができたか否かの確認がし難いことがある。
【０００７】
一方、特許文献３，４記載の便器装置の場合、人体の接近を検知してボウル部内や使用者の足許を照らすことができるが、掃除と関係なく点灯する照明であるため、清掃作業性の向上には有効ではない。
【０００８】
本発明が解決しようとする課題は、清掃作業性に優れた便器装置を提供することにある。
【課題を解決するための手段】
【０００９】
本発明の便器装置は、大便器の上部に配置されたケーシングに当該大便器のボウル部内を照らす照明と、前記大便器内で掃除を行うための清掃モードを実行させると共に当該清掃モードが作動すると前記照明が点灯するように制御する制御部とを設けたことを特徴とする。
【００１０】
このような構成とすれば、清掃モードの作動中は照明が点灯してボウル部内が明るく照らされ、作業者の影によってボウル部内が暗くなることもないので、清掃状況を正確に視認することができ、清掃作業性が向上する。
【００１１】
ここで、前記ケーシングに便座を起伏可能に設け、前記清掃モードとして、前記便座への非着座状態において、前記ケーシング内に進退可能に収容された洗浄ノズルを前記ボウル部に進出させるノズル清掃モードを設けることができる。このような構成とすれば、洗浄ノズルがボウル部内に進出した状態で清掃することが可能となるため、特に洗浄ノズルの清掃作業性が向上する。
【００１２】
また、前記清掃モードとして、前記ボウル部内の溜水を排出して当該ボウル部をほぼ空にした状態を所定時間維持する便器清掃モードを設けることもできる。このような構成とすれば、ボウル部内の溜水が無くなった状態で清掃することが可能となるため、特にボウル部の底部付近などの清掃作業性が向上する。
【００１３】
一方、前記清掃モードは、作動開始後、所定時間経過すると自動的に終了すると共に、当該清掃モードが終了する前に前記照明の点灯状態を変更することもできる。このような構成とすれば、清掃作業中、照明の点灯状態が変更されることにより、清掃モードの終了が近づいていることを知ることができるため、清掃作業性がさらに向上する。
【００１４】
この場合、前記清掃モードの作動中に当該清掃モードを作動開始する操作手段を操作すると当該清掃モードの作動時間が延長されることが望ましい。このような構成とすれば、清掃作業の進捗状況に応じて簡単に清掃モードを延長することができるため、清掃の徹底を図ることができる。
【発明の効果】
【００１５】
本発明により、清掃作業性に優れた便器装置を提供することができる。
【発明を実施するための最良の形態】
【００１６】
以下、図面に基づいて、本発明の実施の形態について説明する。図１は本発明の実施の形態である便器装置を示す斜視図、図２は図１に示す便器装置の一部省略垂直断面図、図３は図１に示す便器装置の操作部を示す一部省略正面図、図４は図１に示す便器装置のノズル清掃モードを示すフローチャート、図５は図１に示す便器装置がノズル清掃モード作動中にあるときの一部省略斜視図である。
【００１７】
図１〜図３に示すように、本実施形態の便器装置１０は、大便器１１に起伏可能に設置された便座１２および便蓋１３と、大便器１１のボウル部１１ａ内へ洗浄水を供給するため本体ケーシング１０ａに内蔵された便器洗浄装置１４と、ボウル部１１ａ内へ洗浄水を供給する制御信号を便器洗浄装置１４へ送信するため本体ケーシング１０ａに内蔵された制御部１６と、便座１２に着座する使用者の有無を検知する着座センサ１５と、便器装置１０を操作するためのリモコン式の操作部１７と、を備えている。本体ケーシング１０ａの後縁部には光表示部１９が配置され、本体ケーシング１０ａ正面の下縁部には、大便器１１のボウル部１１ａ内を照らす照明であるボウルライト２９が配置されている。また、後述する図５に示すように、本体ケーシング１０ａ内には、大便器１１のボウル部１１ａに向かって進退可能な洗浄ノズル１８が収容されている。
【００１８】
図３に示すように、操作部１７は、局部洗浄スイッチ１７ａ、便座便蓋開閉スイッチ１７ｂ、大洗浄スイッチ１７ｄ、小洗浄スイッチ１７ｅ、便器そうじボタン１７ｋ、ノズルそうじボタン１７ｎなどを備えている。これらのスイッチを必要に応じて操作することにより、便器装置１０の基本機能および後述する清掃モードを作動させることができる。
【００１９】
前述したように、便器装置１０においては、大便器１１の上部に配置された本体ケーシング１０ａに当該大便器１１のボウル部１１ａ内を照らすボウルライト２９を設け、ボウル部１１ａ内で掃除を行うための清掃モードが作動すると制御部１６がボウルライト２９を点灯するように制御されている。そして、清掃モードとして、ノズルそうじボタン１７ｎまたは便器そうじボタン１７ｋを操作することによって選択することのできる「ノズル清掃モード」および「便器清掃モード」を備えている。
【００２０】
ノズルそうじボタン１７ｎを押すと便器装置１０は「ノズル清掃モード」にセットされ、便座１２への着座者がいないことを着座センサ１５が検知した非着座状態において、図５に示すように、本体ケーシング１０ａ内に進退可能に収容された洗浄ノズル１８がボウル部１１ａへ進出する。便器そうじボタン１７ｋを押すと便器装置１０は「便器清掃モード」にセットされ、後述する図９に示すように、ボウル部１１ａ内の溜水Ｗを排出して当該ボウル部１１ａをほぼ空にした状態が所定時間維持される。
【００２１】
ここで、図４に基づいて、便器装置１０が「ノズル清掃モード」にセットされたときの動作について説明する。図３に示す操作部１７のノズルそうじボタン１７ｎをＯＮすると（ｓ１００）、着座センサ１５がオンか否かの判断が行われ（ｓ１０１）、ＹＥＳであればノズル清掃モードが作動開始することなく終了し（ｓ１０２）、ＮＯであればタイマがスタートする（ｓ１０３）と共に、ボウルライト２９が点灯し、図５に示すように、洗浄ノズル１８がボウル部１１ａに進出する（ｓ１０５）。従って、この状態で洗浄ノズル１８やボウル部１１ａの上方部分などの清掃を行うことができる。
【００２２】
洗浄ノズル１８がボウル部１１ａに進出すると（ｓ１０５）、停止ボタン１７ｍがオフか否かの判断が行われ（ｓ１０６）、ＮＯであれば、予め設定された時間ｔ２が経過したか否かの判断が行われ（ｓ１０７）、ＹＥＳであれば、洗浄ノズル１８が収納されると共にボウルライト２９が消灯する（ｓ１１１）。
【００２３】
一方、ｓ１０７において時間ｔ２が経過していないと判断されると、再度ｓ１０６およびｓ１０７の判断が行われるが、時間ｔ２が経過すると、ボウルライト２９が点滅を開始し（ｓ１０８）、ノズル清掃モードの終了が近づいていることを知らせる。この後、ノズルそうじボタン１７ｎがＯＮされているか否かの判断が行われ（ｓ１０９）、ＮＯであれば、予め設定された時間ｔ３が経過したか否かの判断が行われ（ｓ１１０）、時間ｔ３が経過するまでｓ１１０の判断が続けられる。ｓ１１０で時間ｔ３が経過したと判断されると、洗浄ノズル１８が収納されると共にボウルライト２９が消灯する（ｓ１１１）。そして、タイマがリセットされ（ｓ１１２）、ノズル清掃モードが終了する（ｓ１１３）。
【００２４】
一方、ｓ１０９においてノズルそうじボタン１７ｎがＯＮされていると判断されると、タイマがリセットされ（ｓ１１４）、点滅していたボウルライト２９が連続点灯し、タイマが再スタートし（ｓ１０３）、これ以降は前述した過程が繰り返される。
【００２５】
このように、図３に示す操作部１７のノズルそうじボタン１７ｎを操作すると、使用者が便座１２に着座していなくても、図５に示すように、洗浄ノズル１８がボウル部１１ａ内へ進出し、その状態が一定時間保持されるため、洗浄ノズル１８を容易に洗浄することができる。また、ノズルそうじボタン１７ｎを操作するとボウルライト２９が点灯してボウル部１１ａ内を明るく照らすため、作業者の影でボウル部１１ａ内が暗くならず、清掃作業性に優れている。
【００２６】
さらに、ノズル清掃モードの作動中にノズルそうじボタン１７ｎを操作すると（ｓ１０９）、タイマリセットされ（ｓ１１４）、当該ノズル清掃モードの作動時間が延長されるため、清掃作業の進捗状況に応じて簡単に清掃モードを延長することができ、清掃の徹底を図ることができる。
【００２７】
次に、図６〜図１１に基づいて、便器装置１０が「ボウル部清掃モード」にセットされたときの動作について説明する。図６は図１に示す便器装置のボウル部清掃モードを示すフローチャート、図７は図１に示す便器装置が待機状態にあるときの概略断面図、図８は図１に示す便器装置がリム洗浄モード１にあるときの概略図、図９は図１に示す便器装置がジェット洗浄モード１にあるときの概略図、図１０は図１に示す便器装置がジェット洗浄モード２にあるときの概略図、図１１は図１に示す便器装置がリム洗浄モード２にあるときの概略図である。
【００２８】
図７に示すように、大便器１１には、ボウル部１１ａ内の汚物を排出するトラップ部５と、トラップ部５に洗浄水を噴出するジェット給水部６と、トラップ部５と、ボウル部１１ａとを区画する隔壁７とが設けられ、ジェット給水部６は、隔壁７の下縁部７ａより排水方向Ｄ寄りの位置に配置されている。ボウル部１１ａの上部にはリム部８が形成され、ボウル部１１ａに臨むリム部８の内壁面８ａに沿ってボウル部１１ａへ洗浄水を供給するために略水平を指向したリム給水口９ａを有するリム給水路９が設けられている。
【００２９】
図３に示す操作部１７の便器そうじボタン１７ｋをＯＮすると（ｓ２００）、ボウルライト２９が点灯し（２０１）、リム洗浄モード１およびタイマカウントが開始される（ｓ２０２）。リム洗浄モード１が開始されると、図８に示すように、ジェット給水部６から洗浄水が噴出すると共に、リム給水口９ａから洗浄水が供給される。このとき、ジェット給水部６からの流量は７Ｌ／ｍｉｎ、リム給水口９ａからの流量は１３Ｌ／ｍｉｎである。
【００３０】
リム洗浄モード１の開始後、２５秒経たったか否かの判断が行われ（ｓ２０３）、２５秒経過するか、２５秒たつ前に便器そうじボタン１７ｋをＯＮすると（ｓ２１５）、ジェット洗浄モード１およびタイマカウントが開始される（ｓ２０４）。ジェット洗浄モード１が開始されると、図９に示すように、リム給水口９ａからの洗浄水供給が停止され、ジェット給水部６のみから流量２０Ｌ／ｍｉｎで洗浄水が噴出される。ジェット給水部６からトラップ部５への洗浄水の噴出が継続されるとトラップ部５にサイフォン作用が発生し、これによってボウル部１１ａ内の溜水Ｗは排出され、ボウル部１１ａは溜水Ｗの無い、ほぼ空の状態となる。
【００３１】
ジェット洗浄モード１の開始後、３．５秒たったか否かの判断が行われ（ｓ２０５）、３．５秒経過すると、ジェット洗浄モード２およびタイマカウントが開始される（ｓ２０６）。ジェット洗浄モード２が開始されると、図１０に示すように、ジェット給水部６から流量１５Ｌ／ｍｉｎで洗浄水が噴出され、リム給水口９ａから流量５Ｌ／ｍｉｎで洗浄水が供給される。
【００３２】
このジェット洗浄モード２による給水は、ジェット洗浄モード１の給水から連続して行われ、ジェット給水部６から流量１５Ｌ／ｍｉｎで洗浄水が噴出されるため、リム給水口９ａから流量５Ｌ／ｍｉｎで供給される洗浄水はボウル部１１ａ内に溜まることなく排出される。従って、ボウル部１１ａ内は溜水Ｗの無い、ほぼ空の状態を維持することができる。この場合、図１０に示すように、リム給水口９ａからリム部８の内壁面８ａに供給された洗浄水がトラップ部５に流下することにより、ジェット給水部６の露出部分が洗浄水で覆われるので、ジェット給水部６からの洗浄水の噴出音が低減される。
【００３３】
ジェット洗浄モード２の開始後、２０秒たったか否かの判断が行われ（ｓ２０７）、２０秒経過すると、ボウルライト２９が点滅を開始する（ｓ２０８）。ここで、便器そうじボタン１７ｋを長押しすると、ｓ２０６に戻って、それ以降の過程が繰り返されるが、便器そうじボタン１７ｋを操作しなければ、２５秒たったか否かの判断が行われ（ｓ２１０）、２５秒たつとボウルライト２９が消灯され（ｓ２１１）、リム洗浄モード２およびタイマカウントが開始される（ｓ２１２）。また、ｓ２０７において２０秒たつ前、あるいはｓ２１０において２５秒たつ前に、便器そうじボタン１７ｋを押した場合も、リム洗浄モード２およびタイマカウントが開始される（ｓ２１２）。
【００３４】
リム洗浄モード２が開始されると、図１１に示すように、ジェット給水部６から流量２Ｌ／ｍｉｎで洗浄水が噴出すると共に、リム給水口９ａから流量１８Ｌ／ｍｉｎで洗浄水が供給される。これにより、ボウル部１１ａ内に再び水が溜まり始め、所定量の溜水Ｗが形成された時点で給水が停止される。そして、リム洗浄モード２の開始後、３．５秒たったか否かの判断が行われ（ｓ２１３）、３．５秒たつとボウル清掃モードが終了する（ｓ２１４）。
【００３５】
このように、清掃モードとして、ボウル部１１ａ内の溜水Ｗを排出して当該ボウル部１１ａをほぼ空にした状態を所定時間維持する便器清掃モードを設けたことにより、図９，図１０に示すように、ボウル部１１ａ内の溜水Ｗが無くなった状態で清掃することができるため、特にボウル部１１ａの底部付近などの清掃作業性が向上する。
【００３６】
また、前述したノズル清掃モードおよび便器清掃モードは、作動開始後、所定時間経過すると自動的に終了すると共に、当該清掃モードが終了する前にボウルライト２９が点滅を開始するため（ｓ１０８，ｓ２０８）、清掃作業中、ボウルライト２９の点滅により清掃モードの終了が近づいていることを知ることができ、便利である。
【００３７】
なお、ボウルライト２９を点滅させるほか、ボウルライト２９の輝度を低下させたり、ボウルライト２９の発光色を変えたりするなど、照明の点灯状態を変更することにより清掃モードの終了が近づいていることを知らせることができる。
【産業上の利用可能性】
【００３８】
本発明の便器装置は、一般住宅や公共施設などのトイレにおいて広く利用することができる。
【図面の簡単な説明】
【００３９】
【図１】本発明の実施の形態である便器装置を示す斜視図である。
【図２】図１に示す便器装置の一部省略垂直断面図である。
【図３】図１に示す便器装置の操作部を示す一部省略正面図である。
【図４】図１に示す便器装置のノズル清掃モードを示すフローチャートである。
【図５】図１に示す便器装置がノズル清掃モード作動中にあるときの一部省略斜視図である。
【図６】図１に示す便器装置のボウル部清掃モードを示すフローチャートである。
【図７】図１に示す便器装置が待機状態にあるときの概略断面図である。
【図８】図１に示す便器装置がリム洗浄モード１にあるときの概略図である。
【図９】図１に示す便器装置がジェット洗浄モード１にあるときの概略図である。
【図１０】図１に示す便器装置がジェット洗浄モード２にあるときの概略図である。
【図１１】図１に示す便器装置がリム洗浄モード２にあるときの概略図である。
【符号の説明】
【００４０】
５  トラップ部
６  ジェット給水部
７  隔壁
７ａ  下縁部
８  リム部
８ａ  内壁面
９  リム給水路
９ａ  リム給水口
１０  便器装置
１１  大便器
１１ａ  ボウル部
１２  便座
１３  便蓋
１４  便器洗浄装置
１５  着座センサ
１６  制御部
１７  操作部
１７ａ  局部洗浄スイッチ
１７ｂ  便座便蓋開閉スイッチ
１７ｄ  大洗浄スイッチ
１７ｅ  小洗浄スイッチ
１７ｋ  便器そうじボタン
１７ｎ  ノズルそうじボタン
１８  洗浄ノズル
１９  光表示部
２９  ボウルライト
Ｄ  排水方向
Ｗ  溜水
【図１】
2008088677.tif 000003
【図２】
2008088677.tif 000004
【図３】
2008088677.tif 000005
【図４】
2008088677.tif 000006
【図５】
2008088677.tif 000007
【図６】
2008088677.tif 000008
【図７】
2008088677.tif 000009
【図８】
2008088677.tif 000010
【図９】
2008088677.tif 000011
【図１０】
2008088677.tif 000012
【図１１】
2008088677.tif 000013